(57)【要約】      （修正有）【課題】首巻き本体とスカーフのような帯状体とが組み合わされるだけでなく、組み合わされることによって斬新なデザインを生み出すようにした首巻きを提供する。【解決手段】本首巻きは、芯紐を綴じることによって多数のループ部を直列に配列し、各ループ部に起毛小片を取り付けた首巻き本体Ａが備えられている。この首巻き本体Ａの各ループ部に、スカーフのような帯状体Ｂが挿通される。帯状体Ｂが首巻き本体Ａに絡むように一体的に組み合わされることにより、それぞれが単体で使用される場合と全く異なる斬新なデザインが生み出される。【選択図】図４
0003126281.tif 000002
【実用新案登録請求の範囲】
【請求項１】
芯紐を綴じることによって多数のループ部を直列に配列し、各ループ部に起毛小片を取り付けた首巻き本体が備えられていることを特徴とする首巻き。
【請求項２】
前記ループ部は、芯紐を一定の長さに切断した短い芯紐を綴じることで輪形に形成され、
前記起毛小片は、各ループ部の短い芯紐に１枚ずつ巻き付けられていることを特徴とする請求項１に記載の首巻き。
【請求項３】
前記ループ部は、平行な２本の長い芯紐と、該２本の長い芯紐に掛け渡される多数の短い芯紐と綴じることによって枠状に形成され、
前記起毛小片は、各短い芯紐の間の長い芯紐と各短い芯紐に巻き付けられていることを特徴とする請求項１に記載の首巻き。
【請求項４】
前記ループ部は、２本の向き合っている芯紐を所々で結ぶことによって結び目を２か所ずつ有する輪形に形成され、
前記起毛小片は、各芯紐の結び目と各結び目間の芯紐とに梵天房状に取り付けたものであることを特徴とする請求項１に記載の首巻き。
【請求項５】
前記ループ部は、偶数設けられていることを特徴とする請求項１ないし４のいずれか１項に記載の首巻き。
【請求項６】
前記各ループ部内に挿通される帯状体が備えられていることを特徴とする請求項１ないし５のいずれか１項に記載の首巻き。
【考案の詳細な説明】
【技術分野】
【０００１】
本考案は、マフラーやストールなどとして用いられる首巻きに関し、詳しくは、毛皮や繊維などで作られた小さな起毛素材（起毛小片）を備え、防寒性とファッション性とを兼ねている首巻きに関する。
【背景技術】
【０００２】
防寒性とファッション性とを兼ねた首巻きないし襟巻きが各種提供されている。例えば、特許文献１には、図９に示すように長手方向に挿通部を形成した筒状の襟巻き本体１と、この襟巻き本体１よりも長尺のスカーフ２とで構成された襟巻きが開示されている。この襟巻きは、襟巻き本体１のみで使用するときと、襟巻き本体１の挿通部内にスカーフ２を挿通して使用するときの３通りの使用方法を選択することができる。したがって、この襟巻きは、ＴＰＯや好みに応じて異なる雰囲気を演出することができる。
【０００３】
【特許文献１】登録実用新案第３１１２４６０号公報
【考案の開示】
【考案が解決しようとする課題】
【０００４】
特許文献１に開示された襟巻きは、スカーフ２と襟巻き本体１とを組み合わせて使用する場合において、スカーフ２は襟巻き本体１の挿通部から露出している両端部のみ視認することができる。換言すれば、スカーフ２が襟巻き本体１の挿通部内に挿通されている部分は視認することができない。したがって、この襟巻きは、スカーフ２と襟巻き本体１とを組み合わせていても、これら２，１が渾然一体とならず、斬新なデザインが発揮されるものとなっていない。
【０００５】
そこで、本考案は、首巻き本体とスカーフのような帯状体とが組み合わされるだけでなく、組み合わされることによって斬新なデザインを生み出すようにした首巻きを提供することを課題とする。
【課題を解決するための手段】
【０００６】
本考案に係る首巻きは、芯紐を綴じることによって多数のループ部を直列に配列し、各ループ部に起毛小片を取り付けた首巻き本体が備えられていることを特徴としている。
【０００７】
この首巻きによれば、首巻き本体部に多数のループ部が直列に配列され、毛皮や繊維などで作られた小さな起毛素材である起毛小片が各ループ部に取り付けられることにより、起毛小片も通し穴を有するループ状に綴じられる。そして、ループ部の通し穴に薄手のマフラーやスカーフなどの帯状体が挿通されると、首巻き本体と帯状体とを渾然一体に組み合わせた首巻きとなる。すなわち、帯状体が首巻き本体のあるループ部の通し穴内を一方側から他方側へ挿通され、隣り合っているループ部の通し穴内を他方側から一方側へ挿通され、蛇行するように首巻き本体と一体的に組み合わされる。この首巻きは、帯状体が首巻き本体に絡むように一体的に組み合わされることにより、首巻き本体又は帯状体がそれぞれ単体で使用される場合と全く異なる斬新なデザインが生み出される。
【０００８】
また、前記本考案に係る首巻きにおいて、前記ループ部は、芯紐を一定の長さに切断した短い芯紐を綴じることで輪形に形成され、前記起毛小片は、各ループ部の短い芯紐に１枚ずつ巻き付けられていてもよい。この首巻きによれば、１枚の起毛小片が芯紐を包む状態で巻き付けられる。したがって、起毛小片が毛皮から作られる場合において、首巻き本体は、大きな毛皮が使用されないことにより、コストダウンを図ることができる。
【０００９】
また、前記本考案に係る首巻きにおいて、前記ループ部は、平行な２本の長い芯紐と、該２本の長い芯紐に掛け渡される多数の短い芯紐と綴じることによって枠状に形成され、前記起毛小片は、各短い芯紐の間の長い芯紐と各短い芯紐に巻き付けられていてもよい。この首巻きによれば、起毛小片が各短い芯紐の間の長い芯紐と各短い芯紐を包む状態で取り付けられることにより、前記の輪形のループ部と枠状のループ部とが同じ大きさのときに、輪形のループ部に取り付ける起毛小片よりもさらに小さなものを使用することができる。
【００１０】
また、前記本考案に係る首巻きにおいて、前記ループ部は、２本の向き合っている芯紐を所々で結ぶことによって結び目を２か所ずつ有する輪形に形成され、前記起毛小片は、各芯紐の結び目と各結び目間の芯紐とに梵天房状に取り付けられていてもよい。この首巻きによれば、起毛小片が梵天房状に取り付けられることにより、趣味性に富んだ首巻きを提供することができる。また、梵天房状の起毛小片が各ループ部の結び目に取り付けられることにより、ループ部の結び目が梵天房状の起毛小片に目隠しされ、良好な外観を呈するようにすることができる。
【００１１】
また、前記本考案に係る首巻きにおいて、前記ループ部は、偶数設けられていることが好ましい。この首巻きによれば、ループ部が偶数設けられることにより、帯状体を首巻き本体の一端部において一方の側から他方の側へ挿通し、また、他端部において一方の側から他方の側へ挿通することができるため、帯状体を首巻き本体の同じ側に導出させることができる。
【００１２】
また、前記本考案に係る首巻きにおいて、前記各ループ部内に挿通される帯状体が備えられていてもよい。この首巻きによれば、首巻き本体と帯状体とがセットで提供されることにより、首巻き本体のデザインとマッチする帯状体を組み合わせることができる。なお、首巻き本体と帯状体とがセットで提供されないときは、使用者が任意の帯状体を首巻き本体に組み合わせて使用することができる。
【考案の効果】
【００１３】
本考案によれば、首巻きに備えられた首巻き本体がループ部を多数直列に配列し、各ループ部に起毛小片を取り付けたものとされることにより、首巻き本体単体で使用されたときは、起毛小片がループ部に取り付けられていても、ふさふさとしたボリューム感のある首巻きが提供される。そして、首巻き本体に備えられたループ部に帯状体が挿通されることにより、首巻き本体と帯状体とが一体的に組み合わされた首巻きが提供される。この首巻きは、帯状体と首巻き本体とが渾然一体となり、斬新なデザインが生み出されることにより、お洒落を楽しむことができる。
【考案を実施するための最良の形態】
【００１４】
本考案に係る首巻きの実施形態について図１ないし図８を参照しながら説明する。この首巻きは、薄手のマフラーやスカーフのような帯状体Ｂと一体的に組み合わせるための首巻き本体Ａを備えている。この首巻き本体Ａは、芯紐１１，１２，１３，１４を綴じることによって多数のループ部Ｌ，Ｌ…を直列に配列し、各ループ部Ｌ，Ｌ…に毛皮や繊維などで作られた小さな起毛素材である起毛小片２１，２２が取り付けられている。
【００１５】
図１に示す首巻き本体Ａは、図２に示すように、一定の長さに切断された短い芯紐１１を輪形に綴じることによってループ部Ｌを形成し、１枚の起毛小片２１が短い芯紐１１を巻き付くようにしてループ部Ｌに取り付けられている。したがって、起毛小片２１もループ状に綴じられ、内側に通し穴Ｈが設けられる。
【００１６】
また、各ループ部Ｌは、直列に配列され、隣り合っているループ部Ｌ，Ｌ同士が結ばれている。各ループ部Ｌは、円形や長円形に変形し、長円形に伸ばされると、２本の芯紐１１が近接して並んだ状態となり、芯紐１１に巻き付いている起毛小片２１が２列に重なり、通し穴Ｈが塞がれ、起毛小片２１がふさふさとしたボリューム感を有している状態となる。
【００１７】
図１に示す首巻き本体Ａは、図３に示すような多数のループ部Ｌ，Ｌ…によって形成することもできる。このループ部Ｌは、平行な２本の長い芯紐１２，１２と、この２本の長い芯紐１２，１２に掛け渡される多数の短い芯紐１３，１３…とを綴じることによって枠状に形成されている。そして、起毛小片２１がこの短い芯紐１３，１３間の長い芯紐１２と、各短い芯紐１３，１３とに巻き付けられる。したがって、この起毛小片２１は、ループ部Ｌが図２に示したループ部Ｌと同じ大きさであるときに、図２に示した起毛小片２１よりも小さなものを使用することができる。
【００１８】
このような多数のループ部Ｌ，Ｌ…を直列に配列し、各ループ部Ｌ，Ｌ…に起毛小片２１を取り付けた首巻き本体Ａは、図１に示すような単体で使用することができるだけでなく、図４に示すように帯状体Ｂと組み合わせて使用することができる（詳しくは後記する）。
【００１９】
次に、図５に示す首巻き本体Ａについて説明する。この首巻き本体Ａは、起毛小片２２を梵天房状に形成し、各ループ部Ｌに取り付けたものである。ループ部Ｌは、首巻き本体Ａの２倍の長さを有している１本の芯紐１４の両端部を結ぶことにより、首巻き本体Ａの長さと同じ長さの環状部を形成し、図６に示すように、向き合っている芯紐１４を所々（図面では５か所）で結び、結び目１４ａを形成することによって、輪形に形成される。
【００２０】
そして、この結び目１４ａと各結び目１４ａ，１４ａの中間の芯紐１４に梵天房状の起毛小片２２が取り付けられる。したがって、結び目１４ａは梵天房状の起毛小片２２によって目隠しされ、また、結び目１４ａと結び目１４ａとの間にも梵天房状の起毛小片２２が取り付けられることにより、ループ部Ｌの全長に起毛小片２２が取り付けられているように見える。また、ループ部Ｌに取り付けられた複数（図面では４個）の梵天房状の起毛小片２２の内側に通し穴Ｈが設けられる。なお、結び目１４ａと結び目１４ａとの間には、１個ずつの梵天房状の起毛小片２２を取り付けた場合を図示したが、２個以上取り付けてもよい。
【００２１】
このような首巻き本体Ａは、図５に示すような単体で使用することができるだけでなく、図７に示すように、帯状体Ｂと組み合わせて使用することができる。
【００２２】
すなわち、この首巻きは、図４及び図７に示すように、帯状体Ｂが首巻き本体Ａのループ部Ｌの通し穴Ｈ（図１又は図５参照）内を一方側（図面において下側）から他方側（図面において上側）へ挿通され、隣り合っているループ部Ｌの通し穴Ｈ内を他方側から一方側へ挿通される。このように、帯状体Ｂは首巻き本体Ａのループ部Ｌの通し穴Ｈを蛇行するように挿通され、帯状体Ｂと首巻き本体Ａとが渾然一体となる。そして、ループ部Ｌが偶数（図面では６個）設けられることにより、帯状体Ｂの両端部が首巻き本体Ａの一方側に位置するようにすることができる。
【００２３】
このような首巻きが図８に示すように首に巻かれると、首巻き本体Ａだけ、又は帯状体Ｂだけを首に巻くときと異なった斬新なデザインが生み出される。ただし、首巻き本体Ａと帯状体Ｂとの組合せによっては、趣味の悪いデザインが生み出されることもある。したがって、首巻きは、首巻き本体Ａと好ましい組合せ取り合わせとなる帯状体Ｂが備えられていてもよい。いずれにしても、帯状体Ｂは首巻き本体Ａのループ部Ｌから容易に抜き取ることができるため、ＴＰＯに応じて、首巻き本体Ａのみ、あるいは帯状体Ｂのみ使用することができる。
【００２４】
なお、本考案は、前記実施形態に限定することなく、実用新案登録請求の範囲に記載した考案特定事項の範囲内において、種々変更することができる。例えば、首巻き本体Ａは、ループ部Ｌとループ部Ｌを設けていない部分とを交互に配列してもよい。また、図５に示したループ部Ｌに図１に示した起毛小片２１を取り付けてもよい。
【図面の簡単な説明】
【００２５】
【図１】本考案に係る首巻きに備えられている首巻き本体Ａの第１の実施形態を示す概略斜視図である。
【図２】本考案に係る首巻きに備えられている首巻き本体Ａの第１の実施形態の一部を示す概略斜視図である。
【図３】本考案に係る首巻きに備えられている首巻き本体Ａの第１の実施形態の一部であって図２と異なる状態を示す概略斜視図である。
【図４】本考案に係る首巻きの第１の実施形態を示す概略斜視図である。
【図５】本考案に係る首巻きに備えられている首巻き本体Ａの第２の実施形態を示す概略斜視図である。
【図６】本考案に係る首巻きに備えられている首巻き本体Ａの第２の実施形態の一部を示す概略斜視図である。
【図７】本考案に係る首巻きの第２の実施形態を示す概略斜視図である。
【図８】本考案に係る首巻きを首に巻いている状態を示す概略正面図である。
【図９】従来の襟巻きを首に巻いている態を示す概略正面図である。
【符号の説明】
【００２６】
Ａ…首巻き本体
Ｂ…帯状体
１１，１２，１３，１４…芯紐
２１，２２…起毛小片
【図１】
0003126281.tif 000003
【図２】
0003126281.tif 000004
【図３】
0003126281.tif 000005
【図４】
0003126281.tif 000006
【図５】
0003126281.tif 000007
【図６】
0003126281.tif 000008
【図７】
0003126281.tif 000009
【図８】
0003126281.tif 000010
【図９】
0003126281.tif 000011